(57)【要約】【課題】給気ファン及び排気ファンの駆動回路部を構成する発熱部品の発熱を、暖房時に利用するようにした寒冷地に適合する換気装置を提供すること。【解決手段】本換気装置１は、給気ファン２１、排気ファン２２、給気する室外空気ＯＡと排気する室内空気ＲＡとを熱交換する全熱交換器１２、全熱交換器１２の吸込側に設置された外気フィルタ１３を有する。また、本換気装置１は、給気ファン２１及び排気ファン２２の駆動回路部を収納した電装品箱と、各駆動回路部を構成する発熱部品からの発熱を放熱するための放熱部材６１，６２とを備える。そして、電装品箱は、全熱交換器通過後の室外空気ＯＡを通過させる通風路１５ａを形成する部分のケーシング１１の外面側に取り付けられ、前記放熱部材６１，６２は、前記発熱部品の放熱部から電装品箱及びケーシング１１を貫通して前記通風路１５ａ内に突出するように配置されている。【選択図】図１
2014178083.tif 000002
【特許請求の範囲】
【請求項１】
室外空気（ＯＡ）を室内（５）へ給気するための給気ファン（２１）と、
室内空気（ＲＡ）を室外へ排気するための排気ファン（２２）と、
排気する室内空気（ＲＡ）と給気する室外空気（ＯＡ）とを全熱交換させる全熱交換器（１２）と、
この全熱交換器（１２）の室外空気（ＯＡ）の吸い込み側に設置された外気フィルタ（１３，７１）と、
前記全熱交換器（１２）、外気フィルタ（１３，７１）、給気ファン（２１）、及び、排気ファン（２２）を内蔵するケーシング（１１）と、
前記給気ファン（２１）及び排気ファン（２２）の駆動回路部（５３，５４）を収納した電装品箱（５１）と、
前記各駆動回路部（５３，５４）に含まれる発熱部品（５３ａ，５４ａ）からの発熱を放熱するための放熱部材（６１，６２）と、
前記ケーシング（１１）内に形成された、前記全熱交換器（１２）を通過した後の室外空気（ＯＡ）を通過させる通風路（１５ａ）とを備え、
前記電装品箱（５１）は、前記通風路（１５ａ）を形成する部分のケーシング（１１）の外面側に取り付けられ、
前記放熱部材（６１，６２）は、前記発熱部品（５３ａ，５４ａ）の放熱部から前記電装品箱（５１）及び前記ケーシング（１１）を貫通して前記通風路（１５ａ）内に突出するように配置されている
換気装置。
【請求項２】
請求項１に記載の換気装置において、
全熱交換器（１２）の前後に跨って、室外空気（ＯＡ）を室内（５）へ給気するための給気経路（１５）と、室内空気（ＲＡ）を室外へ排気するための排気経路（１６）とが形成されるとともに、この給気経路（１５）と排気経路（１６）とが略平面的に区画された構造とされ、さらに、前記電装品箱（５１）が前記給気経路（１５）における前記通風路（１５ａ）を形成する鉛直方向の側面（４１）の外面側に取り付けられている
換気装置。
【請求項３】
請求項２に記載の換気装置において、
前記全熱交換器（１２）は、前記電装品箱（５１）が取り付けられている側面に形成されたサービス蓋（４３）を有するサービス口（４２）から引き出し式に着脱自在に前記ケーシング（１１）内に取り付けられている
換気装置。
【請求項４】
請求項３に記載の換気装置において、
前記外気フィルタ（１３）は、前記全熱交換器（１２）の吸込側に対し、前記サービス口（４２）からスライド式に着脱自在に取り付けられている
換気装置。
【請求項５】
請求項４に記載の換気装置を天井裏（２）に設置するとともに、前記サービス口（４２）及び電装品箱（５１）が設けられた側面（４１）の側方の天井に点検口（６６）を配置した
換気システム。
【発明の詳細な説明】
【技術分野】
【０００１】
本発明は、排気する室内空気と給気する室外空気とを全熱交換させる換気装置、及びこのような換気装置を備えた換気システムに関する。
【背景技術】
【０００２】
排気する室内空気と給気する室外空気とを全熱交換させる換気装置において、室内へ給気する空気量を制御する場合には、インバータなどの電子回路を設け、室内へ室外空気を供給する給気ファンや、室外へ室内空気を排気する排気ファンを可変速する必要がある。この場合、インバータは発熱するため、このインバータの発熱を防ぐための冷却手段が必要となる。また、電動機や電気計装品の変圧を行う必要がある場合には、例えば、リアクタやトランスなどの電子回路部品を設ける必要がある。この場合にも、これら電子回路部品が発熱する可能性があるため、これら発熱部品を冷却する冷却手段が必要である。
【０００３】
このような冷却手段として、発熱部品の放熱部から伝熱されるように冷却板を設け、この冷却板を換気装置の通風路中に配置することにより発熱部品の冷却を行うものが知られている。このような方法を記載したものとしては、例えば、特許文献１がある。
【先行技術文献】
【特許文献】
【０００４】
【特許文献１】特開２００６−３３７０１９
【発明の概要】
【発明が解決しようとする課題】
【０００５】
ところが、特許文献１に記載された従来の換気装置は、発熱部品を冷却することのみを念頭においており、その廃熱を利用することまでは考えていなかった。また、従来の換気装置は、冷却板を冷却する空気を前もって清浄にするフィルタが設けられていなかった。このため、冷却板を冷却する空気が汚れている場合に、放熱効果が低下するおそれがあった。
【０００６】
本発明は、このような従来技術における課題を解決するものであって、給気ファン及び排気ファンの駆動回路部を構成する発熱部品の発熱を、暖房時に有効に利用するようにした寒冷地に適合する換気装置を提供することにある。なお、ここに、寒冷地とは、冷房負荷に比し暖房負荷の方が大きくなるような地域をいうものとする。
【課題を解決するための手段】
【０００７】
本発明に係る換気装置は、室外空気を室内へ給気するための給気ファンと、室内空気を室外へ排気するための排気ファンと、排気する室内空気と給気する室外空気とを全熱交換させる全熱交換器と、この全熱交換器の室外空気の吸込側に設置された外気フィルタと、前記全熱交換器、外気フィルタ、給気ファン、及び、排気ファンを内蔵するケーシングと、前記給気ファン及び排気ファンの駆動回路部を収納した電装品箱と、前記各駆動回路部を構成する発熱部品からの発熱を放熱するための放熱部材と、前記ケーシング内に形成された、前記全熱交換器を通過した後の室外空気を通過させる通風路とを備え、前記電装品箱は、前記通風路を形成する部分のケーシングの外面側に取り付けられ、前記放熱部材は、前記発熱部品の放熱部から前記電装品箱及び前記ケーシングを貫通して前記通風路内に突出するように形成されているものである。
【０００８】
このような構成によれば、給気ファン及び排気ファンの駆動回路部に含まれる発熱部品の発熱を放熱する放熱部材は、全熱交換器及び外気フィルタを通過した室外空気が通風する通風路に配置される。このため、放熱部材の冷却に使用される室外空気は、外気フィルタにより塵埃が除去された清浄な空気となる。これにより、放熱部材への塵埃の付着量が軽減され、放熱部材の放熱作用の低下が抑制される。また、放熱部材の冷却に使用される室外空気は、全熱交換器において排気される室内空気と全熱交換された後の空気であるため、年間を通して比較的安定した温度となる。これにより、放熱部材の冷却効果を安定させることができる。したがって、本換気装置は、寒冷地に適合したものと成すことができる。
【０００９】
また、このように構成された換気装置において、全熱交換器の前後に跨って、室外空気を室内へ給気するための給気経路と、室内空気を室外へ排気するための排気経路とが形成されるとともに、この給気経路と排気経路とが略平面的に区画された構造とされ、さらに、前記電装品箱が前記給気経路における前記通風路を形成する鉛直方向の側面の外面側に取り付けられているようにしてもよい。
【００１０】
このような構成によれば、給気経路と排気経路とが略平面的に配置された構造となるので、換気装置のケーシングの高さ方向の寸法が小さくなる。また、電装品箱も鉛直方向の側面に取り付けられるので、電装品箱の取付により換気装置全体の高さ方向の寸法を大きくすることもない。したがって、高さ方向にゆとりのない天井裏に設置される天井埋込型の換気装置として好適である。
【００１１】
また、前記全熱交換器は、前記電装品箱が取り付けられている側面に形成されたサービス蓋を有するサービス口から引き出し式に着脱自在に前記ケーシング内に取り付けられているようにしてもよい。
【００１２】
このような構成によれば、電装品箱が取りつけられる側面と、全熱交換器のメンテナンスを行うためのサービス口が設けられている側面とが同一となるので、電装品箱に必要なメンテナンススペースと全熱交換器に必要なメンテナンススペースとを共通化することができる。これによりメンテナンススペースの省スペース化を図ることができるとともに、メンテナンスが容易になる。
【００１３】
また、このような換気装置において、外気フィルタは、前記全熱交換器の吸込側に対し、前記サービス口からスライド式に着脱自在に取り付けられているようにしてもよい。
このような構成によれば、電装品箱に必要なメンテナンススペースと、全熱交換器に必要なメンテナンススペースと、外気フィルタに必要なメンテナンススペースとを共通化することができる。これによりメンテナンススペースの省スペース化を図ることができるとともに、メンテナンスが容易になる。
【００１４】
また、本発明にかかる換気システムは、前記のように電装品箱に必要なメンテナンススペースと、全熱交換器に必要なメンテナンススペースと、外気フィルタに必要なメンテナンススペースとの共通化を図った換気装置を天井裏に設置するとともに、前記サービス口及び電装品箱が設けられた側面の側方の天井に点検口を配置したものである。
【００１５】
このような構成によれば、電装品箱、全熱交換器、及び外気フィルタ共通のメンテナンススペース内又はその近傍の天井に点検口を設けることができる。これにより、一つの点検口を有効に活用することができるとともに、メンテナンスも容易になる。
【発明の効果】
【００１６】
本発明に係る換気装置によれば、排気ファン及び給気ファンの駆動回路部に含まれる発熱部品の発熱を暖房運転時に有効に活用することができる。また、放熱部材を冷却する空気温度が年間を通して安定した温度となるため、放熱部材の冷却効果を安定させることができる。
【図面の簡単な説明】
【００１７】
【図１】実施の形態１に係る換気システムの全体構成図である。
【図２】同実施の形態に係る換気装置にける平面機器配置図である。
【図３】図２のＩＩＩ−ＩＩＩ断面における機器配置図である。
【図４】図２のＩＶ−ＩＶ断面における機器配置図である。
【図５】同換気装置の機能ブロック図である。
【図６】図２のＶＩ−ＶＩ断面図である。
【図７】図６のＶＩＩ−ＶＩＩ断面図である。
【図８】実施の形態２に係る換気システムの全体構成図である。
【発明を実施するための形態】
【００１８】
（実施の形態１）
先ず、図１に基づき本実施の形態に係る換気システムの概略構成を説明する。この図１は、模式図であって空気流れを理解しやすいように表示されている。
【００１９】
図１に示されるように、実施の形態１に係る換気システムは、排気する室内空気ＲＡと給気する室外空気ＯＡとを全熱交換させる換気装置１が天井裏２に設置されている。また、天井裏２の外壁面には、室外空気ＯＡを取り入れるための取入れ口３と、排気ＥＡとして室内空気ＲＡを屋外へ排出するための排気口４が設けられている。また、室内５の天井には、給気ＳＡとして室外空気ＯＡを室内５へ吹き出すための吹出口６が設けられている。そして、室内５の天井には室内空気ＲＡを排出するための換気口７が設けられている。
【００２０】
図１に示すように、換気装置１は、箱型のケーシング１１の内部に、排気する室内空気ＲＡと給気する室外空気ＯＡとの間で全熱交換を行わせるための全熱交換器１２を備えている。また、この全熱交換器１２の室外空気ＯＡの吸込側には、室外空気ＯＡ中の塵埃を除去するための外気フィルタ１３が取り付けられている。同様に、同全熱交換器１２の室内空気ＲＡの吸込側には、室内空気ＲＡ中の塵埃を除去するための内気フィルタ１４が取り付けられている。
【００２１】
また、換気装置１は、全熱交換器１２の前後に跨って、室外空気ＯＡを室内５へ給気するための給気経路１５と、室内空気ＲＡを室外へ排気するための排気経路１６とが形成されている。そして、この給気経路１５と排気経路１６とは、全熱交換器１２において、給気経路１５を通過して室内５に給気される室外空気ＯＡと、排気経路１６を通過して室外に排気される室内空気ＲＡとが全熱交換するように交差状に流通している。
【００２２】
図１から分かるように、室外空気ＯＡを給気するための給気ファン２１は、給気経路１５における全熱交換器通過後の通風路１５ａに設置され、室内空気ＲＡを排気するための排気ファンは２２は、排気経路１６における全熱交換器１２通過後の通風路１６ａに配置されている。
【００２３】
給気ファン２１は、シロッコファンであって、モータ２１ａにより駆動されている。また、排気ファン２２も、シロッコファンであって、モータ２２ａにより駆動されている。これら給気ファン２１及び排気ファ２２ンのモータ２１ａ，２２ａは、室内空気温度、室外空気温度及び室内空気のＣＯ２濃度により回転数可変に運転できるようにインバータ制御されている。
【００２４】
図１に示すように、換気装置１は、給気系の入口ダクト３１を接続する第１接続口１５ｂと、給気系の出口ダクト３２を接続する第２接続口１５ｃと、排気系の入口ダクト３３を接続する第３接続口１６ｂと、排気系の出口ダクト３４を接続する第４接続口１６ｃとを備えている。また、入口ダクト３１、出口ダクト３２、入口ダクト３３及び出口ダクト３４は、それぞれ断面円形のフレキシブルダクトが使用されている。また、第１接続口１５ｂ、第２接続口１５ｃ、第３接続口１６ｂ及び第４接続口１６ｃは、それぞれ断面円形のフレキシブルダクトを接続するダクト接続口として形成されている。
【００２５】
ところで、換気装置１は、図１の模式図においては給気経路１５と排気経路１６とが上下に区画されて配置されているが、実際的には図２、図３及び図４に示すように大略平面的に区画された構造となっている。このような区画構造とすると、換気装置１の高さを低く形成することができるので、高さにゆとりのない天井裏２に設置する換気装置１としては都合がよい。したがって、この実施の形態に係る換気装置１は、給気ファン２１、排気ファン２２及び全熱交換器１２が略同一レベルに配置された構造において、給気される室外空気ＯＡと室内空気ＲＡとが全熱交換器１２を通過しながら全熱交換されるように構成されている。
【００２６】
図３に示すように、換気装置１における給気経路１５は、第１接続口１５ｂから、全熱交換器１２における給気が通過する空気流路、通風路１５ａ、給気ファン２１、第２接続口１５ｃに至る経路を形成している。
【００２７】
また、図４に示すように、換気装置１における排気経路１６は、第３接続口１６ｂから、全熱交換器１２における排気が通過する空気流路、通風路１６ａ、排気ファン２２、第４接続口１６ｃに至る経路を形成している。
【００２８】
また、図２に示すように、換気装置１は、給気ＳＡ及び排気ＥＡの空気流れ方向に平行な側面４１に、全熱交換器１２、外気フィルタ１３及び内気フィルタ１４のメンテナンスを行うためのサービス口４２が設けられ、このサービス口に対しサービス蓋４３が取り付けられている。このサービス蓋４３は、回転ドア式に開閉できるように取り付けられたものでもよく、あるいは、周辺を複数個のネジ類により固定されているものでもよい。
【００２９】
全熱交換器１２は、このサービス蓋４３を開放した状態において、サービス口４２から側面４１と直角の方向にスライド式に出し入れできるように取り付けられている。また、全熱交換器１２の室外空気ＯＡの吸込側及び室内空気ＲＡの吸込側それぞれには、外気フィルタ１３及び内気フィルタ１４をスライド式に取り付けるためのスライド用の溝（図示せず）が形成されている。
【００３０】
これにより、外気フィルタ１３及び内気フィルタ１４は、サービス蓋４３を開放した状態において、サービス口４２から側面４１と直角の方向にスライド式に出し入れできるように取り付けられている。
【００３１】
また、このサービス口４２が設けられている側面４１には、電装品箱５１が取り付けられている。電装品箱５１が取り付けられている位置は、給気経路１５における全熱交換器１２を通過した後の通風路１５ａを形成する部分のケーシング１１の側面４１の外面側である。
【００３２】
図５に示すように、電装品箱５１は、制御回路部５２と、給気ファン２１用の駆動回路部５３と、排気ファン２２用の駆動回路部５４とを備えている。駆動回路部５３は、制御回路部５２からの指示によりモータ２１ａを所定の回転数で運転するように、モータ２１ａを可変に制御するインバータ回路を形成している。同様に、駆動回路部５４も、制御回路部５２からの指示によりモータ２２ａを所定の回転数で運転するように、モータ２２ａを可変に制御するインバータ回路を形成している。
【００３３】
制御回路部５２に対しては、換気装置１を発停操作するリモコン５５、室内温度を検出する室内温度センサ５６、室外空気温度を検出する室外温度センサ５７、及び室内空気ＲＡのＣＯ２濃度を検出するＣＯ２濃度センサ５８が接続されている。制御回路部５２は、リモコン５５の操作に基づく運転指令を受信すると、駆動回路部５３，５４に対し制御指令を発信する。そして、この制御指令が発信されることにより、給気ファン２１及び排気ファン２２は、室内温度センサ５６及び室外温度センサ５７により検出される温度情報、並びにＣＯ２濃度センサ５８により検出されるＣＯ２濃度情報に基づき、予め設定されているプログラムに従い所定の回転数で運転される。
【００３４】
図６、図７に示すように、駆動回路部５３，５４は、インバータ回路を構成する部品としてパワートランジスタやダイオード等の発熱部品５３ａ，５４ａを有する。このため、給気ファン２１の駆動回路部５３及び排気ファン２２の駆動回路部５４は、これら発熱部品５３ａ，５４ａを冷却するための部材として放熱部材６１，６２を備えている。駆動回路部５３に設けられる放熱部材６１と駆動回路部５４に設けられる放熱部材６２とは、同一の構成である。なお、図６及び図７は、駆動回路部５３及び駆動回路部５４を説明する図面として駆動回路部５３の断面図を示すが、括弧内に駆動回路部５４の場合の符号を示す。
【００３５】
また、図６及び図７に示すように、この放熱部材６１，６２は、アルミ合金などの伝熱性の良好な金属により形成されている。このような材料で形成されている放熱部材６１，６２は、発熱部品５３ａ，５４ａの放熱部に密着される板状の基板部６１ａ，６２ａと、基板部６１ａ，６２ａから一定の間隔をおいて突出する、厚みのあるフィン状部６３を複数形成する冷却板部６１ｂ、６２ｂとから構成されている。
【００３６】
図６及び図７に示すように、放熱部材６１，６２は、基板部６１ａ，６２ａの平面側が発熱部品５３ａ，５４ａの放熱部に密着し、冷却板部６１ｂ、６２ｂが電装品箱５１のケース及び換気装置１のケーシング１１の側面４１を貫通するように取り付けられている。したがって、給気経路１５における全熱交換器１２通過後の室外空気ＯＡを通過させる通風路１５ａに晒されるように構成されている。また、放熱部材６１，６２は、冷却板部６１ｂ、６２ｂにおけるフィン状部６３が水平方向に延びるように配設されている。これは、フィン状部６３の表面を、その周辺を流れる室外空気ＯＡの流れ方向にできるだけ沿わせるようにしたものであって、これにより放熱部材６１，６２の冷却効果を向上させている。
【００３７】
また、図２に示すように、このような構成を備えた換気装置１は、サービス口４２及び電装品箱５１を取り付けた側面４１の側方を、メンテナンススペース６５としている。そして、このメンテナンススペース６５へのアクセスが容易なように、このスペース内の天井に点検口６６が形成されている。
【００３８】
次に上記のように形成された換気装置の作用について説明する。
換気装置１は、リモコン５５の操作により換気運転の発停が行われる。リモコン５５の操作により換気運転が開始されると、制御回路部５２は、室内温度センサ５６から室内温度情報を取得するとともに、室外温度センサ５７から室外温度情報を取得し、さらに、ＣＯ２濃度センサ５８から室内空気ＲＡのＣＯ２濃度情報を取得する。そして、制御回路部５２は、これら情報を元に予め設定された制御プログラムに従い所定の回転数で給気ファン２１及び排気ファン２２の運転を行うための運転指示を駆動回路部５３，５４に送信する。この指示を受けた駆動回路部５３，５４は、インバータ回路の作動により所定の回転数で給気ファン２１及び排気ファン２２を運転する。
【００３９】
このように行われる換気運転において、室外空気ＯＡは、取入れ口３から取り込まれる。この室外空気ＯＡは、外気フィルタ１３で塵埃除去され、全熱交換器１２において排気される室内空気ＲＡと全熱交換し、吹出口６から室内５に給気ＳＡとして吹き出される。一方、室内空気ＲＡは、換気口７を通じて室内５からが吸い込まれる。吸い込まれた室内空気ＲＡは、内気フィルタ１４で塵埃除去され、全熱交換器１２において給気される室外空気ＯＡと全熱交換し、排気口４から室外への排気ＥＡとして排出される。
【００４０】
また、このような換気運転においては、インバータ回路に含まれる発熱部品５３ａ，５４ａが発熱する。この発熱は、放熱部材６１，６２に伝熱され、放熱部材６１，６２を介して給気経路１５を流通する室外空気ＯＡに放出される。この室外空気ＯＡは、室内５へ給気されるため、暖房運転時においては発熱部品５３ａ，５４ａからの発熱が暖房能力を補助することになる。
【００４１】
また、放熱部材６１，６２と熱交換する室外空気ＯＡは、外気フィルタ１３で塵埃除去された清浄な空気となっている。これにより、冷却板部６１ｂ，６２ｂの汚れが抑制されるので、発熱部品５３ａ，５４ａからの発熱を長く有効に活用することができる。また、放熱部材６１，６２と熱交換する室外空気ＯＡは、全熱交換器１２において排気される室内空気ＲＡと全熱交換されているので、年間を通じ安定した温度領域となる。このため、放熱部材６１，６２からの放熱作用が安定し、安定した運転性能を得ることができる。
【００４２】
また、全熱交換器１２に流入する室外空気ＯＡは外気フィルタ１３で塵埃除去され、全熱交換器１２に流入する室内空気ＲＡは内気フィルタ１４で塵埃除去されている。このため、全熱交換器１２内の空気流路は、室内外の空気中の塵埃で汚されることが軽減される。この結果、全熱交換器１２は、長期間有効に熱交換される。
【００４３】
次に、図２に示すように、この換気システムは、換気装置１のメンテナンスを行うためのメンテナンススペース６５が側面４１の側方に確保される。また、このメンテナンススペース６５に天井裏２に出入りするための点検口６６が設けられている。サービズマンは、この点検口６６から上半身或いは全身を天井裏２のメンテナンススペース６５に入れて、換気装置１を点検することができる。
【００４４】
サービズマンは、サービス蓋４３を開ければ、外気フィルタ１３及び内気フィルタ１４が取りつけられた状態の全熱交換器１２を、サービス口４２からスライド式に取り外したり、取り付けたりすることができる。また、サービズマンは、サービス蓋４３を開けることにより、全熱交換器１２を取り出さずに外気フィルタ１３又は内気フィルタ１４を、サービス口４２から単独にスライド式に取り外したり、取り付けたりすることもできる。
【００４５】
また、サービズマンは、電装品箱５１が側面４１における全熱交換器通過後の室外空気ＯＡを通過させる通風路１５ａの外面側に取り付けられているので、この電装品箱５１の蓋（図示せず）を外せば、内部を点検したり、基板などの部品交換などを行うことができる。
【００４６】
本実施の形態に係る換気装置１及び換気システムは、以上のように構成されているので、次のような効果を奏することができる。
（１）給気ファン２１及び排気ファン２２の駆動回路部５３，５４は、発熱部品５３ａ、５４ａの発熱を放熱するための放熱部材６１，６２を有する。そして、この放熱部材６１，６２は、全熱交換器１２及び外気フィルタ１３を通過した後の室外空気ＯＡが流通する通風路１５ａに配置されている。このため、放熱部材６１，６２の冷却に使用される室外空気ＯＡは、塵埃が除去された清浄な空気となっているので、放熱部材６１，６２への塵埃の付着量が軽減され、放熱部材６１，６２の放熱作用の低下が抑制される。したがって、本換気装置１及び換気システムは、暖房運転時に発熱部品５３ａ，５４ａからの発熱を長く有効に活用することができ、寒冷地用として好適である。
【００４７】
（２）換気装置１は、全熱交換器１２の前後に跨って形成される給気経路１５と排気経路１６とが略平面的に区画された構造とされ、さらに、電装品箱５１が給気経路１５における全熱交換器１２通過後の室外空気ＯＡが流通する通風路１５ａを形成する鉛直方向の側面４１の外面に取り付けられている。このため、換気装置１は、給気経路１５と排気経路１６とが略平面的に配置された構造となるので、ケーシング１１の高さ方向の寸法が小さくなる。また、換気装置１は、電装品箱５１も鉛直方向の側面４１に取り付けられるので、電装品箱５１の取付により高さ方向の寸法が大きくなることもない。したがって、高さ方向にゆとりのない天井裏に設置される天井埋込型の換気装置１として好適である。
【００４８】
（３）換気装置１は、電装品箱５１が取りつけられる側面４１と、全熱交換器１２のメンテナンスを行うためのサービス口４２が設けられている側面４１とが同一の面となっているので、電装品箱５１に必要なメンテナンススペースと全熱交換器１２に必要なメンテナンススペースとを共通化することができる。これによりメンテナンススペース６５の省スペース化を図ることができる。また、電装品箱５１及び全熱交換器１２のメンテナンスが容易になる。
【００４９】
（４）さらに、換気装置１は、外気フィルタ１３が全熱交換器１２の吸込側に対し、サービス口４２からスライド式に着脱自在に取り付けられているので、電装品箱５１に必要なメンテナンススペースと、全熱交換器１２に必要なメンテナンススペースと、外気フィルタ１３に必要なメンテナンススペースとを共通化することができる。これによりメンテナンススペース６５の省スペース化を図ることができるとともに、メンテナンスが容易になる。
【００５０】
（５）また、本実施の形態に係る換気システムは、天井裏２へのアクセスに必要な点検口６６が、外気フィルタ１３、内気フィルタ１４、全熱交換器１２及び電装品箱５１の共用化されたメンテナンススペース６５内に設けられているので、一つの点検口６６を有効に活用することができる。
【００５１】
（６）また、換気装置１において、発熱部品５３ａ，５４ａを冷却するための放熱部材６１，６２が、冷却板部６１ｂ、６２ｂにおけるフィン状部６３が水平方向に延びるように配設されている。これにより、フィン状部６３の表面が周辺を流れる室外空気ＯＡの流れ方向に沿うようになり、放熱部材６１，６２の冷却効果が向上している。
【００５２】
（実施の形態２）
次に実施の形態２の換気システムについて説明する。以下実施の形態１との相違点を中心に説明する。なお、実施の形態１と同一の構成要素には、実施の形態１と同一の符号を付し、その説明を省略する。
【００５３】
図８に示すように、実施の形態２に係る換気システムは、天井裏２に配置された換気装置１と、室内５の手の届きやすい位置に配置されたフィルタユニット７０とからなる。そして、換気装置１とフィルタユニット７０とが、ダクトにより接続されている。
【００５４】
換気装置１は、室内５に給気する室外空気ＯＡ中の塵埃を除去する外気フィルタ１３と、排気する室内空気ＲＡ中の塵埃を除去する内気フィルタ１４とを備えていない点で実施の形態１と相違するが、他の点においては実施の形態１と同一である。
【００５５】
室内５に設置されるフィルタユニット７０は、室内５に給気する室外空気ＯＡ中の塵埃を除去する外気フィルタ７１と、排気する室内空気ＲＡ中の塵埃を除去する内気フィルタ７２とを収納したものである。フィルタユニット７０は、箱形ケーシングを水平方向に二分割し、一方の区画内に外気フィルタ７１を収納し、他方に内気フィルタ７２を収納している。
【００５６】
外気フィルタ７１及び内気フィルタ７２は、それぞれ平板状に形成されている、また、外気フィルタ７１及び内気フィルタ７２は、フィルタユニット７０の側方からスライド式に取り付け及び取り外しが可能に収納されている。また、フィルタユニット７０は、使用者がこのフィルタの取り付け取り外しを容易に行えるような場所を選んで設置されている。
【００５７】
フィルタユニット７０における外気フィルタ７１を収納する区画は、外気フィルタ７１の上流側のダクト接続口７５が給気系の第１入口ダクト３１ａにより取入れ口３に接続され、外気フィルタ７１の下流側のダクト接続口７６が給気系の第２入口ダクト３１ｂにより、換気装置１の第１接続口１５ｂに接続されている。
【００５８】
また、フィルタユニット７０における内気フィルタ７２を収納する区画は、内気フィルタ７２の上流側に室内空気ＲＡを吸入する吸込みグリル７７が形成され、内気フィルタ７２の下流側のダクト接続口７８が排気系の入口ダクト３３により換気装置１の第３接続口１６ｂに接続されている。
【００５９】
このような構成の実施の形態２に係る換気システムは、作用としては運転開始後の室外空気ＯＡ及び室内空気ＲＡの経路が実施の形態１と異なるのみである。
すなわち、この換気システムが運転開始されると、室外空気ＯＡは、取入れ口３から吸い込まれ、給気系の第１入口ダクト３１ａによりフィルタユニット７０に搬送される。そして、室外空気ＯＡは、フィルタユニット７０における外気フィルタ７１により塵埃除去された後、給気系の第２入口ダクト３１ｂにより換気装置１の給気経路１５における全熱交換器１２の吸込側に搬送される。
【００６０】
一方、室内空気ＲＡは、フィルタユニット７０の吸込みグリル７７からフィルタユニット７０内へ吸い込まれる。フィルタユニット７０に吸い込まれた室内空気ＲＡは、内気フィルタ７２により塵埃除去された後、排気系の入口ダクト３３により換気装置１の排気経路１６における全熱交換器１２の吸込側に搬送される。
【００６１】
フィルタユニット７０から換気装置１へ搬送された室外空気ＯＡは、全熱交換器１２においてフィルタユニット７０から搬送された室内空気ＲＡと全熱交換された後、吹出口６から室内５へ給気される。また、一方の室内空気ＲＡは、全熱交換器１２において室外空気ＯＡと全熱交換器された後、排気口４から室外へ排気される。この点は実施の形態１と同一である。
【００６２】
以上のように構成された実施の形態２に係る換気システムは、実施の形態１に係る（１）、（２）、（３）、（５）及び（６）に係る効果を奏するとともに、次の（７）の効果を奏することができる。
【００６３】
（７）フィルタユニット７０は、外気フィルタ７１及び内気フィルタ７２の取り付け取り外しを容易に行えるような場所を選んで設置される。これにより、使用者は、外気フィルタ７１及び内気フィルタ７２を容易にメンテナンスすることができる。したがって、使用者は、放熱部材６１，６２からの放熱作用、及び全熱交換器１２における全熱交換作用が低下しないように、頻繁に外気フィルタ１３及び内気フィルタ１４の清掃を行うことができる。
【００６４】
（変形例）
本換気システム及び換気装置１は、上記各実施形態に限定されることなく、以下の変更も可能である。この場合、以下の変形例は、対象となった実施形態についてのみ適用されるものでなく、他の実施の形態又は他の変形例と適宜組み合わせて実施することもできる。
【００６５】
・各実施の形態において、換気装置１は、図２に示すように給気経路１５と排気経路１６とが大略平面的に区画された構造となっていたが、これに限定されるものではない。換気装置１は、例えば模式図として示した図１に示すように、給気経路１５と排気経路１６とを上下方向に区画したものとしてもよい。
【００６６】
・各実施の形態において、換気システムを構成する各ダクトは、断面丸型のフレキシブルダクトとしたが、金属製の断面四角形のダクトを用いてもよい。また、この場合、全てのダクトを金属製の断面四角形のダクトとせずに、部分的に金属製の断面四角形のダクトを用いるようにしてもよい。
【００６７】
・各実施の形態において、給気ファン２１の駆動回路部５３と排気ファン２２の駆動回路部５４とを独立の構成としているが、発熱部品５３ａ，５４ａの放熱部材６１，６２を含め一体的に形成した構成としてもよい。
【００６８】
・各実施の形態において、放熱部材６１，６２は、発熱部品５３ａ，５４ａの放熱部に密着される板状の基板部６１ａ，６２ａと、基板部６１ａ，６２ａから一定の間隔をおいて突出するフィン状部６３を複数形成する冷却板部６１ｂ、６２ｂとから構成されている。また、冷却効果を向上させるために、冷却板部６１ｂ、６２ｂにおけるフィン状部６３が水平方向に延びるように配設されている。しかし、冷却板部６１ｂ、６２ｂの構造は、これに限定されることなく他の形状に変更してもよい。例えば、フィン状部６３に代えて断面円形、略四角形等の柱状部を基板部６１ａ，６２ａから多数突出させるようにしてもよい。このようにすれば、室外空気の流れ方向との関係による冷却効果への影響を少なくし、結果的に良好な冷却効果を得ることもできる。
【符号の説明】
【００６９】
ＥＡ…排気、ＯＡ…室外空気、ＲＡ…室内空気、ＳＡ…給気、１…換気装置、２…天井裏、５…室内、１１…ケーシング、１２…全熱交換器、１３，７１…外気フィルタ、１４，７２…内気フィルタ、１５…給気経路、１５ａ…通風路、１６…排気経路、２１…給気ファン、２２…排気ファン、４１…側面、４２…サービス口、４３…サービス蓋、５１…電装品箱、５３、５４…駆動回路部、５３ａ，５４ａ…発熱部品、６１，６２…放熱部材、６６…点検口。
【図１】
2014178083.tif 000003
【図２】
2014178083.tif 000004
【図３】
2014178083.tif 000005
【図４】
2014178083.tif 000006
【図５】
2014178083.tif 000007
【図６】
2014178083.tif 000008
【図７】
2014178083.tif 000009
【図８】
2014178083.tif 000010